(57)【要約】【課題】外部記憶装置が装着された際に、煩雑な操作を必要とすることなく、ユーザの所望する動作モードを簡単に設定することができる画像形成装置等を提供する。【解決手段】ユーザから入力されたジョブの実行条件に基づいて動作モードが設定され、ジョブの開始が指示されると、前記設定された動作モードで前記ジョブが実行される。そして、外部記憶装置３２０の装着手段２０への装着が検出された場合、前記実行されたジョブの実行条件が、装着された外部記憶装置３２０に書き込まれる。また、ジョブ実行条件が記憶されている外部記憶装置３２０が装着手段２０に装着されると、そのジョブ実行条件でジョブを実行する動作モードの設定が可能となる。【選択図】図８
2009087272.tif 000002
【特許請求の範囲】
【請求項１】
外部記憶装置を取り外し可能に装着する装着手段と、
外部記憶装置の前記装着手段への装着を検出する検出手段と、
ジョブを実行するための動作モードを、ユーザから入力されたジョブの実行条件に基づいて設定する設定手段と、
ジョブを開始させるための開始指示手段と、
前記開始指示手段によりジョブの開始が指示された場合には、前記設定された動作モードで前記ジョブを実行するジョブ実行手段と、
前記検出手段により外部記憶装置の前記装着手段への装着が検出された場合、前記実行されたジョブの実行条件を、装着された外部記憶装置に書き込む書込手段と、
前記検出手段により外部記憶装置の前記装着手段への装着が検出された場合、外部記憶装置内にジョブ実行条件が記憶されているかどうかを判断する判断手段と、
ジョブ実行条件が記憶されていると判断された場合には、そのジョブ実行条件でジョブを実行するための動作モードを設定可能なモード設定手段と、
を備えたことを特徴とする画像形成装置。
【請求項２】
前記外部記憶装置内に、同一のジョブ実行条件が記憶されていないと判断された場合にのみ、前記書込手段は、実行されたジョブの実行条件を、装着された外部記憶装置に書き込む請求項１に記載の画像形成装置。
【請求項３】
前記動作モードは、画像データを印刷する印刷モードであり、前記ジョブ実行条件は印刷条件である請求項１または２に記載の画像形成装置。
【請求項４】
前記動作モードは、原稿をスキャンすることにより得られた画像データを、外部記憶装置に保存するスキャンモードであり、前記ジョブ実行条件は前記原稿のスキャン条件及び/又は画像データの保存条件である請求項１または２に記載の画像形成装置。
【請求項５】
前記外部記憶装置に画像データが保存されているかどうかを判断する画像データ有無判断手段と、
前記判断手段により画像データが保存されていると判断された場合に、その画像データに関する情報を表示する表示手段と、
を備えている請求項１〜４のいずれかに記載の画像形成装置。
【請求項６】
前記外部記憶装置に保存されているジョブ実行条件が画像データの印刷条件である場合には、画像データの印刷モード設定画面を表示し、原稿のスキャン条件及び/又は画像データの保存条件である場合には、スキャンモード設定画面を表示する表示手段を備えている請求項１に記載の画像形成装置。
【請求項７】
外部記憶装置へジョブ実行条件を記憶させるかどうかを、ユーザが設定可能となされている請求項1に記載の画像形成装置。
【請求項８】
装着された外部記憶装置にジョブ実行条件が複数記憶されている場合には、前記複数のジョブ実行条件の中から所期する実行条件をユーザが選択可能な選択画面を表示する表示手段を備えている請求項１に記載の画像形成装置。
【請求項９】
外部記憶装置を取り外し可能に装着する装着手段への外部記憶装置の装着を検出するステップと、
ジョブを実行するための動作モードを、ユーザから入力されたジョブの実行条件に基づいて設定するステップと、
ジョブを開始させるための開始指示手段によりジョブの開始が指示された場合には、前記設定された動作モードで前記ジョブを実行するステップと、
外部記憶装置の前記装着手段への装着が検出された場合、前記実行されたジョブの実行条件を、装着された外部記憶装置に書き込むステップと、
外部記憶装置の前記装着手段への装着が検出された場合、外部記憶装置内にジョブ実行条件が記憶されているかどうかを判断するステップと、
ジョブ実行条件が記憶されていると判断された場合には、そのジョブ実行条件でジョブを実行するための動作モードを設定するステップと、
を備えたことを特徴とするジョブ実行方法。
【請求項１０】
外部記憶装置を取り外し可能に装着する装着手段への外部記憶装置の装着を検出するステップと、
ジョブを実行するための動作モードを、ユーザから入力されたジョブの実行条件に基づいて設定するステップと、
ジョブを開始させるための開始指示手段によりジョブの開始が指示された場合には、前記設定された動作モードで前記ジョブを実行するステップと、
外部記憶装置の前記装着手段への装着が検出された場合、前記実行されたジョブの実行条件を、装着された外部記憶装置に書き込むステップと、
外部記憶装置の前記装着手段への装着が検出された場合、外部記憶装置内にジョブ実行条件が記憶されているかどうかを判断するステップと、
ジョブ実行条件が記憶されていると判断された場合には、そのジョブ実行条件でジョブを実行するための動作モードを設定するステップと、
を、画像形成装置のコンピュータに実行させるためのジョブ実行プログラム。
【発明の詳細な説明】
【技術分野】
【０００１】
本発明は、外部記憶装置を取り外し可能に装着できる画像形成装置、ジョブ実行方法及びジョブ実行プログラムに関する。
【背景技術】
【０００２】
昨今、画像形成装置として、メモリカードやＵＳＢメモリ等の外部記憶装置を取り外し可能に装着する装着部を備えたものが提供されている。
【０００３】
一方、画像形成装置の中には、多彩な機能を有するものも増えてきている。このような画像形成装置に外部記憶装置を装着して使用する場合、ユーザは外部記憶装置の装着後、操作パネル等を介し、画像形成装置が有する多彩な機能を使用してジョブを実行するための実行条件を入力して、動作モードを設定する必要があり、そのための操作が煩わしいという問題がある。
【０００４】
なお、外部記憶装置の挿入口を複数個備え、挿入口毎に異なるモード設定をしておくことにより、外部記憶装置が挿入口に挿入された場合、該挿入口に設定されたモードを自動的に画像形成装置に設定する技術が提案されている（特許文献１参照）。
【特許文献１】特開２００６−１４０６４４号公報
【発明の開示】
【発明が解決しようとする課題】
【０００５】
しかしながら、特許文献１に記載の技術は、外部記憶装置の挿入口毎にモード設定を行うため、画像形成装置が自動設定可能な動作モードの数が限られている。そのため、ユーザの所望する動作モードが外部記憶装置に割り当てられていない場合には、ユーザは該モードで処理を行おうとする度に、操作パネル等からモードを設定するための操作を行わなければならず、その操作が煩わしいという問題がある。
【０００６】
本発明は、上記実情に鑑みてなされたものであり、外部記憶装置が装着された際に、煩雑な操作を必要とすることなく、ユーザの所望する動作モードを簡単に設定することができる画像形成装置、ジョブ実行方法及びジョブ実行プログラムを提供することを課題とする。
【課題を解決するための手段】
【０００７】
上記課題は、以下の手段によって解決される。
（１）外部記憶装置を取り外し可能に装着する装着手段と、外部記憶装置の前記装着手段への装着を検出する検出手段と、ジョブを実行するための動作モードを、ユーザから入力されたジョブの実行条件に基づいて設定する設定手段と、ジョブを開始させるための開始指示手段と、前記開始指示手段によりジョブの開始が指示された場合には、前記設定された動作モードで前記ジョブを実行するジョブ実行手段と、前記検出手段により外部記憶装置の前記装着手段への装着が検出された場合、前記実行されたジョブの実行条件を、装着された外部記憶装置に書き込む書込手段と、前記検出手段により外部記憶装置の前記装着手段への装着が検出された場合、外部記憶装置内にジョブ実行条件が記憶されているかどうかを判断する判断手段と、ジョブ実行条件が記憶されていると判断された場合には、そのジョブ実行条件でジョブを実行するための動作モードを設定可能なモード設定手段と、を備えたことを特徴とする画像形成装置。
（２）前記外部記憶装置内に、同一のジョブ実行条件が記憶されていないと判断された場合にのみ、前記書込手段は、実行されたジョブの実行条件を、装着された外部記憶装置に書き込む前項１に記載の画像形成装置。
（３）前記動作モードは、画像データを印刷する印刷モードであり、前記ジョブ実行条件は印刷条件である前項１または２に記載の画像形成装置。
（４）前記動作モードは、原稿をスキャンすることにより得られた画像データを、外部記憶装置に保存するスキャンモードであり、前記ジョブ実行条件は前記原稿のスキャン条件及び/又は画像データの保存条件である前項１または２に記載の画像形成装置。
（５）前記外部記憶装置に画像データが保存されているかどうかを判断する画像データ有無判断手段と、前記判断手段により画像データが保存されていると判断された場合に、その画像データに関する情報を表示する表示手段と、を備えている前項１〜４のいずれかに記載の画像形成装置。
（６）前記外部記憶装置に保存されているジョブ実行条件が画像データの印刷条件である場合には、画像データの印刷モード設定画面を表示し、原稿のスキャン条件及び/又は画像データの保存条件である場合には、スキャンモード設定画面を表示する表示手段を備えている前項１に記載の画像形成装置。
（７）外部記憶装置へジョブ実行条件を記憶させるかどうかを、ユーザが設定可能となされている前項1に記載の画像形成装置。
（８）装着された外部記憶装置にジョブ実行条件が複数記憶されている場合には、前記複数のジョブ実行条件の中から所期する実行条件をユーザが選択可能な選択画面を表示する表示手段を備えている前項１に記載の画像形成装置。
（９）外部記憶装置を取り外し可能に装着する装着手段への外部記憶装置の装着を検出するステップと、ジョブを実行するための動作モードを、ユーザから入力されたジョブの実行条件に基づいて設定するステップと、ジョブを開始させるための開始指示手段によりジョブの開始が指示された場合には、前記設定された動作モードで前記ジョブを実行するステップと、外部記憶装置の前記装着手段への装着が検出された場合、前記実行されたジョブの実行条件を、装着された外部記憶装置に書き込むステップと、外部記憶装置の前記装着手段への装着が検出された場合、外部記憶装置内にジョブ実行条件が記憶されているかどうかを判断するステップと、ジョブ実行条件が記憶されていると判断された場合には、そのジョブ実行条件でジョブを実行するための動作モードを設定するステップと、を備えたことを特徴とするジョブ実行方法。
（１０）外部記憶装置を取り外し可能に装着する装着手段への外部記憶装置の装着を検出するステップと、ジョブを実行するための動作モードを、ユーザから入力されたジョブの実行条件に基づいて設定するステップと、ジョブを開始させるための開始指示手段によりジョブの開始が指示された場合には、前記設定された動作モードで前記ジョブを実行するステップと、外部記憶装置の前記装着手段への装着が検出された場合、前記実行されたジョブの実行条件を、装着された外部記憶装置に書き込むステップと、外部記憶装置の前記装着手段への装着が検出された場合、外部記憶装置内にジョブ実行条件が記憶されているかどうかを判断するステップと、ジョブ実行条件が記憶されていると判断された場合には、そのジョブ実行条件でジョブを実行するための動作モードを設定するステップと、を、画像形成装置のコンピュータに実行させるためのジョブ実行プログラム。
【発明の効果】
【０００８】
前項（１）に記載の発明によれば、ユーザから入力されたジョブの実行条件に基づいて動作モードが設定され、ジョブの開始が指示されると、前記設定された動作モードで前記ジョブが実行される。そして、外部記憶装置の装着手段への装着が検出された場合、前記実行されたジョブの実行条件が、装着された外部記憶装置に書き込まれる。また、ジョブ実行条件が記憶されている外部記憶装置が装着手段に装着されると、そのジョブ実行条件でジョブを実行するための動作モードが設定可能となる。従って、ユーザは、前記動作モードを設定するための入力操作が不要となり、その煩わしさから解放される。しかも、自己の所望のジョブ実行条件を画像形成装置に設定してジョブを実行させ、このジョブ実行条件を外部記憶装置に一旦記憶させれば、以後はこの外部記憶装置を装着することで前記ジョブ実行条件による動作モードが設定できるから、装着口毎に動作モードが予め設定されている場合のような制約を受けることなく、ユーザは自由に所望する動作モードを画像形成装置に設定することができる。
【０００９】
前項（２）に記載の発明によれば、外部記憶装置内に同一のジョブ実行条件が記憶されていないと判断された場合にのみ、実行されたジョブの実行条件が外部記憶装置に書き込まれる。
【００１０】
前項（３）に記載の発明によれば、画像データを印刷する印刷条件が外部記憶装置に書き込まれ、また印刷条件が書き込まれた外部記憶装置を装着手段に装着することで、その印刷条件による印刷モードの設定が可能となる。
【００１１】
前項（４）に記載の発明によれば、原稿のスキャン条件及び/又は画像データの保存条件が外部記憶装置に書き込まれ、また原稿のスキャン条件及び/又は画像データの保存条件が書き込まれた外部記憶装置を装着手段に装着することで、その条件によるスキャンモードの設定が可能となる。
【００１２】
前項（５）に記載の発明によれば、外部記憶装置に画像データが保存されている場合に、その画像データに関する情報が表示手段に表示される。
【００１３】
前項（６）に記載の発明によれば、外部記憶装置に保存されているジョブ実行条件が画像データの印刷条件である場合には、画像データの印刷モード設定画面が表示手段に表示され、原稿のスキャン条件及び/又は画像データの保存条件である場合には、スキャンモード設定画面が表示される。
【００１４】
前項（７）に記載の発明によれば、ユーザは、外部記憶装置へジョブ実行条件を記憶させるかどうかを設定することができる。
【００１５】
前項（８）に記載の発明によれば、装着された外部記憶装置にジョブ実行条件が複数記憶されている場合には、前記複数のジョブ実行条件の中から所期する実行条件をユーザが選択することができる。
【００１６】
前項（９）に記載の発明によれば、ユーザは、前記動作モードを設定するための入力操作が不要となり、その煩わしさから解放される。しかも、自己の所望のジョブ実行条件を画像形成装置に設定してジョブを実行させ、このジョブ実行条件を外部記憶装置に一旦記憶させれば、以後はこの外部記憶装置を装着することで、前記ジョブ実行条件による動作モードの設定が可能となるから、装着口に動作モードが予め設定されている場合のような制約を受けることなく、ユーザは自由に所望する動作モードを画像形成装置に設定することができる。
【００１７】
前項（１０）に記載の発明によれば、外部記憶装置の前記装着手段への装着が検出された場合、前記実行されたジョブの実行条件を、装着された外部記憶装置に書き込むステップと、外部記憶装置の前記装着手段への装着が検出され、外部記憶装置内にジョブ実行条件が記憶されている場合には、そのジョブ実行条件でジョブを実行する動作モードを設定するステップとを、画像形成装置のコンピュータに実行させることができる。
【発明を実施するための最良の形態】
【００１８】
以下、本発明の一実施形態を、図面を参照しながら説明する。
【００１９】
図１は、この発明の一実施形態に係る画像形成装置の構成を示す図である。
【００２０】
画像形成装置１は、多機能デジタル複合機であるＭＦＰ（Multi Function Peripherals）であり、コピー機能、プリント機能、ファクシミリ機能、スキャナ機能を有する他、ネットワークに接続され外部端末等との通信機能等を有している。
【００２１】
画像形成装置１は、ＵＳＢ規格の外部機器を着脱可能な接続手段としての差込口２０を有しており、この差込口２０にＵＳＢインターフェイスを有する外部機器、例えば外部記憶装置の１つであるＵＳＢメモリ３２０を接続することにより、外部機器と画像形成装置１の間で、双方のデータ送受信が可能となされている。以下、差込口をＵＳＢ差込口あるいはＵＳＢコネクタという。
【００２２】
画像形成装置１は操作パネル１０を備えており、この操作パネル１０は、複数のキー１１ａと、当該キー１１ａに対するユーザの操作による各種の指示や、文字、数字などのデータの入力を受付ける操作部１１と、ユーザに対する指示メニューや取得した画像に関する情報などの表示を行なう液晶等からなるディスプレイ１２を有している。
【００２３】
また、画像形成装置１は、原稿を光学的に読取って画像データを得るスキャナ部１３と、画像データに基づいて記録シート上に画像を印刷するプリンタ部１４とを備えている。
【００２４】
また画像形成装置１の本体上面には、原稿をスキャナ部１３に送るフィーダ部１７が、下部にはプリンタ部１４に記録シートを供給する給紙部１８が、中央部にはプリンタ部１４によって画像を印刷された記録シートが排出されるトレイ１９がそれぞれ配備されている。さらに画像形成装置１の本体の内部には、ネットワークを介して外部装置との間で画像データなどの送受信を行なう通信部１６、および画像データなどを記憶する記憶部３１２などが備えられている。
【００２５】
なお、画像形成装置１は、ネットワーク・インターフェースを有し、前記通信部１６は外部装置との間で各種データの送受信が可能なように、前記ネットワーク・インターフェースを介してネットワークに接続されている。
【００２６】
前記ディスプレイ１２には、初期画面（図４に示す）が表示されている他、ユーザからの操作指示に応じて種々の画面が表示される。
【００２７】
また、前記操作部１１は、種々の入力に用いられるものである。これらがユーザインターフェースの要部として機能する。
【００２８】
前記スキャナ部１３は、写真、文字、絵などの画像情報を原稿から光電的に読取って画像データを取得する。取得された画像データ（濃度データ）は、図示しない画像処理部においてデジタルデータに変換され、周知の各種画像処理を施された後、プリンタ部１４や装着されたＵＳＢメモリ３２０に送られるか、または、後の利用のために記憶部３１２に格納される。
【００２９】
前記プリンタ部１４は、スキャナ部１３により取得された画像データ、装着されたＵＳＢメモリ３２０から読み出された画像データ、または記憶部３１２に格納されている画像データに基づいて記録シート上に画像を印刷するものである。
【００３０】
前記通信部１６は、公衆電話回線を介してファクシミリデータの送受信を行なう他、ＬＡＮ、インターネットなどのネットワークを介して、該ネットワークに接続される外部装置との間で電子メールなどを用いてデータの送受信を行なう。
【００３１】
これにより、ＭＦＰ１は、通常のファクシミリ通信を行なうファクシミリ装置としての機能のみならず、電子メールの送受信端末としての機能も有する。したがって、電子メールの添付ファイルとして、各種画像データを送受信することもできる。なお、画像形成装置１が行なうネットワーク通信は有線でもよく無線でもよいが、図示の例では有線による通信方式が採用されている。
【００３２】
次に、画像形成装置１の電気的構成を、図２のブロック図を参照しながら説明する。
【００３３】
図２に示すように、画像形成装置１は、情報処理部３０１、ファクシミリ（以下ＦＡＸともいう）部３０２、通信制御部３０３、給紙手段３０４、前記スキャナ部１３を構成する画像読み取り部３０５、前記プリンタ部１４を構成する画像形成手段３０６、およびフィニッシャ部３０７を有している。
【００３４】
前記ファクシミリ部３０２，通信制御部３０３，画像形成手段３０６等がジョブ実行手段を構成する。
【００３５】
この情報処理部３０１は、情報処理手段の一例であり、データ入出力手段３０８、データ通信制御部３０９、操作部１１、制御装置３１１、記憶部３１２、画像メモリ３１３およびディスプレイ１２を有している。情報処理部３０１では画像メモリ３１３に格納されたジョブの削除、出力等の制御が行えるようになっている。
【００３６】
前記制御装置３１１は、ＣＰＵ３１１１、ＲＡＭ３１１２等を有している。この前記制御装置３１１には、データ入出力手段３０８が接続され、ジョブを入出力する際に使用される。
【００３７】
この制御装置３１１は、プリント動作、コピー動作、スキャン動作、ファクシミリ送信動作、メール送信動作、ＦＴＰ（ File Transfer Protocol）送信動作等、画像形成装置１の全体を統括的に制御するほか、この実施形態では以下の機能を有している。
【００３８】
すなわち、ＵＳＢメモリ３２０がＵＳＢ差込口２０に接続された（装着された）こと、及び／または接続状態が解除された（差込口から抜かれた）ことを検出する検出部３１１ａとして機能する。
【００３９】
また、判断部３１１ｂは、装着されたＵＳＢメモリ３２０に、ジョブ実行条件や画像データが保存されているか否かの判断を行う判断手段等として機能する。
【００４０】
また、検出部３１１ａの検出結果や判断部３１１ｂの判断結果に基づいて、操作パネル１０のディスプレイ１２に、プリントジョブやスキャンジョブの実行条件の選択を行う画面や画像データ一の一覧やジョブ実行条件の一覧を表示させる表示制御部３１１ｃとして機能する。
【００４１】
さらには、ジョブを実行するための動作モードを、ユーザから入力されたジョブの実行条件に基づいて、あるいは後述するようにＵＳＢメモリ３２０に記憶されているジョブ実行条件に基づいて設定する動作モード設定部３１１ｄとして機能する。
【００４２】
上記のような制御装置３１１による各機能の具体的な動作については後述する。
【００４３】
前記データ入出力手段３０８には、ＴＣＰ／ＩＰベースのネットワークのＬＡＮ（Local Aria Network)端子３１５、ＵＳＢ端子３１６、セントロニクス端子３１７、シリアルインターフェース端子３１８および／またはＪＴＡＧ端子３１９等のインターフェース（Ｉ／Ｆ）端子が複数設けられている。
【００４４】
前記データ入出力手段３０８では、ネットワーク端子３１５、ＵＳＢ端子３１６、セントロニクス端子３１７、シリアルインターフェース端子３１８またはＵＴＡＧ端子３１９に接続された場合、制御装置３１１によりデータの読み出し、書き込み、削除ができるようになっている。
【００４５】
前記記憶部３１２は、例えばハードディスク等の不揮発メモリからなり、画像データ等を保存するための専用記憶領域（ボックス）３１２０を有している。
【００４６】
また、前記画像メモリ３１３においては、メモリ間でのコピーが可能である。
【００４７】
前記ＣＰＵ３１１１は、制御装置３１１を上述したような制御及び機能を発揮させるように動作させるためのものであり、ＣＰＵ３１１１が図示しないプログラム格納部に格納されたプログラムを実行することにより、制御装置３１１が動作する。前記ＲＡＭ３１１２はＣＰＵ３１１１がプログラムを実行する際の作業領域となるものである。
【００４８】
この実施形態では、前述したように、ＵＳＢ端子３１６を有しており、ＵＳＢメモリ３２０が接続可能である。さらに、制御装置３１１はＵＳＢメモリ３２０からのジョブの実行条件や画像データ等の読み込み、及びＵＳＢメモリ３２０に対するジョブの実効条件等の書き込みが実行可能である。記憶情報の読み込みは制御装置３１１のデータ読み込み部３１１ｇにより行われ、情報の書き込みはデータ書き込み部３１１ｈにより行われる。
【００４９】
また、ＵＳＢメモリ３２０には、ユーザによって外部端末装置等を使用して作成された画像データ等が保存される他、この実施形態ではジョブを実行する際の実行条件を示すジョブ実行条件がジョブ実行条件ファイルリスト（図３に示す）として記憶されている。
【００５０】
図３に示すように、この実施形態では、ジョブ実行条件ファイルリストは、スキャン実行条件ファイルからなるスキャン実行条件ファイルリスト３０と、プリント実行条件ファイルからなるプリント実行条件ファイルリスト３１とから構成されている。
【００５１】
スキャン実行条件ファイルは、ＵＳＢメモリ３２０が装着された際に、優先的に利用されるジョブ実行条件であることを示す優先設定欄、ファイル名欄、モード欄、スキャンを実行する際の条件である原稿設定欄、解像度設定欄、画質設定欄及び濃度設定欄、またスキャンされた画像データの保存形式を示す保存形式設定欄等から構成されている。
【００５２】
例えば、スキャン実行条件ファイル３２は、優先設定が「○（する）」ファイル名が「スキャン実行条件１」、モードが「スキャン」、原稿設定が「方面」、解像度が「精細」、画質が「文字」、濃度設定が「普通」、保存設定が「ＰＤＦ形式」であることをそれぞれ示している。
【００５３】
また、プリント実行条件ファイルは、優先設定欄、ファイル名欄、モード欄、印刷用紙設定欄、及び拡大/縮小設定欄等から構成されている。
【００５４】
例えば、ジョブ実行条件ファイル３３は、優先設定が「なし」、ファイル名が「プリント実行条件１」、モードが「プリント」、印刷用紙が「Ｂ４」、拡大/縮小倍率が「８０％」であることをそれぞれ示している。
【００５５】
また、前述したように優先設定とは、ＵＳＢメモリ３２０が画像形成装置１に装着された際に、優先的に使用されるジョブ実行条件を示すものであり、ＵＳＢメモリ３２０に記憶されているすべてのジョブ実行条件に対して一つのみ設定可能である。
【００５６】
本実施形態ではスキャン実行条件１が優先設定されており、ＵＳＢメモリ３２０が画像形成装置に装着されると、スキャン実行条件１でジョブを実行するためのスキャン動作モード、即ち画像読み取り部３０５で読み取られた原稿の画像データを、ＵＳＢメモリ３２０に保存するモードが自動的に設定される。
【００５７】
次に、操作パネル１０の構成を、図４を参照しながら説明する。
【００５８】
図４は、画像形成装置１における操作パネル１０の構成を示す平面図である。なお、図４は初期画面を表示している。
【００５９】
図４において、スタートキー２０１は、コピー／プリント／ファクシミリ送信／電子メール、ＦＴＰ送信等のジョブ実行動作を開始させるために用いられる。
【００６０】
テンキー２０２は、コピー枚数等の数値を入力するために用いられる。クリアキー２０３は、入力された数値のクリア、および蓄積された画像記憶部の画像データを破棄するために用いられる。
【００６１】
ストップキー２０４は、コピー／スキャン動作の停止を指示するために用いられる。パネルリセットキー２０５は、設定されている操作モードおよびジョブを破棄するために用いられる。
【００６２】
また、ディスプレイ１２は、各種モードの表示や表面にはタッチパネル２０６が取り付けられている。このタッチパネル２０６によって、ユーザはディスプレイ１２内の表示内容に従った各種設定を行うことができる。例えば、ディスプレイ１２にジョブを実行するための条件を入力する画面が表示された場合、ユーザは前記操作部１１の各種キーやディスプレイ１２に表示されたタッチボタン等を用いて、ジョブ実行条件を入力する。
【００６３】
前記タッチパネル２０６における設定画面領域２０７には、初期画面が表示されている時には、コピー動作やファックス送信動作を実行する際の基本／応用設定のためのボタンが配置されている。各ボタンを挿下すると、その詳細設定を行うための階層画面が表示される。
【００６４】
コピーキー２１０、およびスキャンキー２１１は画像形成装置１をコピー／スキャンの何れの動作モードで動作させるかを設定するための選択キーである。
【００６５】
コピーキー２１０を押下した場合、画像形成装置１はコピー機として使用可能となる。この状態では、スキャナ動作、およびファックス送信動作を実行することはできない。
【００６６】
この時、タッチパネル２０６の設定画面領域２０７には、コピー動作に対する各種設定を行うためのコピーモード表示が行われる。諸設定を終了後、原稿をセットしてスタートキー２０１を押下することにより、コピー動作が開始される。
【００６７】
またスキャンキー２１１を押下した場合、画像形成装置１はスキャナ、およびファクシミリとなる。この状態では、コピー動作を実行することはできない。
【００６８】
この時、タッチパネル２０６の設定画面領域２０７には、スキャン動作（スキャンした原稿の送信も含む）／ファックス送信に対する各種設定を行うためのスキャンモード表示が行われる。諸設定を終了後、原稿をセットしてスタートキー２０１を押下することにより、スキャン動作／ファックス送信動作が開始される。
【００６９】
なお、コピーキー２１０とスキャンキー２１１は排他的動作となり、一方を選択すると自動的に他方は非選択状態となる。
【００７０】
また、ＵＳＢメモリ３２０が装着され、前記ＵＳＢメモリ３２０に記憶されているジョブ実行条件でジョブを実行するための動作モードが設定された後に、コピーキー２１０/スキャンキー２１１が押下された場合、設定された動作モードの変更が可能な画面に移行するが、詳しくは後述する。
【００７１】
次に、図５に示すスキャンモード設定画面、図６に示すスキャン条件設定画面及び図７に示す印刷モード設定画面を説明する。
【００７２】
画像形成装置１にＵＳＢメモリ３２０が装着されると、前記ＵＳＢメモリ３２０からジョブ実行条件が読み出され、優先設定されているジョブ実行条件でジョブを実行するために画像形成装置１の動作モードの設定が行われ、スキャン可の旨又はプリント可の旨がディスプレイ１２に表示される。そして、ＵＳＢメモリ３２０にジョブ実行条件が複数記憶されている場合には、ユーザがジョブ実行条件を選択することが可能なスキャンモード設定画面又は印刷モード設定画面がディスプレイ１２に表示される。
【００７３】
まず、スキャンモード設定画面を、図５を参照しながら説明する。
【００７４】
図５は、ＵＳＢメモリ３２０にスキャンジョブの実行条件が複数記憶されており、そのうちのスキャン実行条件１が優先設定されている場合に、ディスプレイ１２に表示されるスキャンモード設定画面を示した図である。
【００７５】
図５に示すように、スキャンモード設定画面には、スキャン可能の旨が表示されると共に、設定画面領域２０７には、ＵＳＢメモリ３２０内に存在するスキャンジョブの実行条件の選択ボタンが列挙され、ユーザによるジョブ実行条件の選択が可能となされている。また、メモリ内に存在するジョブ実行条件がこの階層画面表示を越える個数の場合、「次頁」キーの押下により残りのジョブ実行条件が表示される。
【００７６】
この画面で、ユーザによってジョブ実行条件が選択され、「ＯＫ」ボタンが押下されると、画像形成装置１は選択されたジョブ実行条件を読み込む処理を開始し、選択されたジョブ実行条件のファイルが正常に読み込まれると、読み込まれたジョブ実行条件でジョブを実行するためにスキャン動作モードの再設定が行われ、終了するとＬＥＤ２２０が点灯し、ユーザに再設定が終了したことを通知する。なお、スキャン実行条件１は優先設定、即ち、既に画像形成装置１に設定されているのでスキャン実行条件１の選択ボタンは表示されない。なお、優先設定がなされていない場合は、全てのスキャンジョブ実行条件がリスト表示されるとともに、ジョブ実行条件の選択画面を促すメッセージを表示しても良い。
【００７７】
また、スキャンモード設定画面で、スキャンボタン２１１が押下されると、図６に示すスキャン条件設定画面に移行し、ユーザはスキャンについてのジョブ実行条件の変更が可能となる。
【００７８】
スキャン条件設定画面において、原稿設定、解像度設定、画質設定、濃度設定及び保存形式設定の各項目の設定ないし変更がなされた後、「ＯＫ」ボタンが押下されると、ユーザによる新たな実行条件が設定される。
【００７９】
なお、新たに設定された実行条件は、ジョブの実行後にＵＳＢメモリ３２０に書き込まれる。
【００８０】
また、図５に示すスキャンモード設定画面及び図６に示すスキャン条件設定画面において、「ＣＡＮＣＥＬ」ボタンが押下されると、選択された内容はクリアされ、図４に示す初期画面に戻る。
【００８１】
次に、印刷モード設定画面を、図７を参照しながら説明する。
【００８２】
図７は、ＵＳＢメモリ３２０にプリントジョブの実行条件が複数記憶されており、そのうちのいずれかが優先設定されている場合に、ディスプレイ１２に表示されるプリントモード設定画面を示した図である。
【００８３】
図７に示すように、印刷モード設定画面には、プリント可の旨が表示される他、設定画面領域２０７にＵＳＢメモリ３２０内に存在するすべてのプリントについてのジョブ実行条件の選択ボタンが列挙され、ユーザはジョブ実行条件を選択することができる。また、ＵＳＢメモリ３２０内に存在するジョブ実行条件がこの階層画面表示を越える個数の場合、「次頁」キーの押下により残りのジョブ実行条件が表示される。
【００８４】
この画面で、ジョブ実行条件が選択され、「ＯＫ」ボタンが押下されると、画像形成装置１は選択されたジョブ実行条件の読み込み処理を開始し、正常にデータが読み込まれ、選択されたジョブ実行条件でジョブを実行するための動作モードの設定が終了すると、ＬＥＤ２２０が点灯し、画像形成装置１の動作モードの再設定が終了したことをユーザに通知する。
【００８５】
また、コピーボタン２１０が押下されると、プリントについてのジョブ実行条件の設定が可能な印刷条件設定画面（図示せず）に移行し、ユーザからプリントジョブの実行条件の設定が行われた後、設定された実行条件でジョブを実行するために、プリント動作モードの再設定が行われる。
【００８６】
なお、新たに設定された実行条件は、ジョブの実行後にＵＳＢメモリ３２０に書き込まれる。
【００８７】
なお、ＵＳＢメモリ３２０内にスキャン、プリント何れのジョブ実行条件も記憶されており、何れも優先設定されていない場合には、全てのジョブ実行条件のリストを表示して、ユーザに実行条件の選択を促すものとしても良い。
［画像形成装置の動作］
次に、画像形成装置１の動作を、図８、図９及び図１０に示すフローチャートを参照しながら説明する。なお、この動作はＣＰＵ３１１１がプログラム格納部に保存されているプログラムを実行することにより、実現される。
【００８８】
ユーザは、画像形成装置１の設置場所まで出向き、ＵＳＢメモリ３２０を挿入口２０に挿入する。
【００８９】
図４に示す初期画面がディスプレイ１２に表示され（ステップＳ１０）、ＵＳＢメモリ３２０の装着の検出が行われる（ステップＳ１２）。
【００９０】
ＵＳＢメモリ３２０の装着が検出できない場合（ステップＳ１２でＮＯ）、図１０のフローチャートに示すステップＳ３８に進む。一方、検出された場合（ステップＳ１２でＹＥＳ）、挿入されたＵＳＢメモリ３２０に対して、ジョブ実行条件の検索が行われ（ステップＳ１４）、ＵＳＢメモリ３２０にジョブ実行条件が記憶されているか否かの判定が行われる（ステップＳ１６）。
【００９１】
記憶されていない場合（ステップＳ１６でＮＯ）、ジョブ実行条件の登録（書き込み）を行うために、図１０のフローチャートに示すステップＳ３８に進む。
【００９２】
一方、記憶されている場合（ステップＳ１６でＹＥＳ）、何れのジョブ実行条件が優先設定されているかの判定が行われる（ステップＳ１８）。
【００９３】
スキャンについてのジョブ実行条件が優先設定されている場合、（ステップＳ１８で「スキャン優先」）、該スキャン実行条件でジョブを実行するために、画像形成装置１の動作モードの設定が行われ（ステップＳ２２）、ディスプレイ１２にスキャン可のメッセージを有するスキャンモード設定画面（図５）が表示された後（ステップＳ２４）、ステップＳ３０に進む。
【００９４】
一方、ステップＳ１８で、プリントについてのジョブ実行条件が優先設定されている場合（ステップＳ１８で「プリント優先」）、該プリント実行条件でジョブを実行するために、画像形成装置１の動作モードの設定が行われ（ステップＳ２６）、ディスプレイ１２にプリント可のメッセージを有するプリントモード設定画面（図７）が表示された後（ステップＳ２８）、ステップＳ３０に進む。
【００９５】
なお、ステップＳ１８で、装着されたＵＳＢメモリ３２０に、スキャンについてのジョブ実行条件が１個記憶されている場合（ステップＳ１８で「スキャンのみ」）、又はプリントについてのジョブ実行条件が１個記憶されている場合（ステップＳ１８で「プリントのみ」）にも、ステップＳ２２又はステップＳ２６以下の動作が実行される。
【００９６】
ステップＳ３０で、設定されたモードについてのジョブ実行条件が複数存在するか否かの判定が行われ（ステップＳ３０）、複数存在しない場合（テップＳ３０でＮＯ）、ステップＳ３７に進む。一方、複数存在する場合（ステップＳ３０でＹＥＳ）、ユーザからジョブ実行条件の変更を受け付けるため、スキャンモード設定画面またはプリントモード設定画面において、図５あるいは図７に示すようなジョブ実行条件の選択リストが表示され（ステップＳ３２）、ユーザからのジョブ実行条件の選択指示を待つ（ステップＳ３４）。
【００９７】
選択指示がなかった場合（ステップＳ３４でＮＯ）、ユーザは既に設定されているジョブ実行条件でのプリント又はスキャンを所望しているので、テップＳ３７に進む。一方、選択指示がなされた場合（ステップＳ３４でＹＥＳ）、選択されたジョブ実行条件でジョブを実行するために画像形成装置１の動作モードの再設定が行われ（ステップＳ３６）、ステップＳ３７に進む。
【００９８】
ステップＳ３７では、現在の画像形成装置の動作モードがスキャン動作モードであるか、或いはプリント動作モードであるかの判定が行われる。
【００９９】
スキャン動作モードである場合（ステップＳ３７で「スキャン」）、図１０に示すフローチャートのステップＳ３８に進む。
【０１００】
一方、プリント動作モードである場合（ステップＳ３７で「プリント」）、ユーザからプリントする画像データの選択を受け付けるために、図９に示すフローチャートのステップＳ６８に進む。
【０１０１】
ステップＳ６８では、装着されたＵＳＢメモリ３２０に画像データが保存されているか否かの判定が行われ、保存されていない場合（ステップＳ６８でＮＯ）、プリントする画像データが存在しないので、その旨がディスプレイ１２に表示され（ステップＳ６９）、ユーザからの確認を受け付けた後、リターンしてステップＳ１０に戻る。
【０１０２】
一方、画像データが保存されている場合（ステップＳ６８でＹＥＳ）、装着されたＵＳＢメモリ３２０からすべての画像データにつていの情報が取得された後、ディスプレイ１２にすべての画像データについての情報が表示され（ステップＳ７２）、ユーザからプリントする画像データの選択を待つ（ステップＳ７２）。
【０１０３】
画像データが選択されると（ステップＳ７２でＹＥＳ）、これを受け付け（ステップＳ７４）、ステップＳ３８に進む。
【０１０４】
ステップＳ３８では、スタートキー２０１が押下されたか否かの判定が行われ（ステップＳ３８）、押下されていない場合（ステップＳ３８でＮＯ）、新たなジョブ実行条件の設定である可能性が高いので、コピーキー２１０又はスキャンキー２１１のいずれのモード設定キーが押下されたかの判定が行われる（ステップＳ４０）。いずれも押下されていない場合（ステップＳ４０でＮＯ）、ステップＳ３８に戻る。一方、いずれかが押下された場合（ステップＳ４０でＹＥＳ）、押下されたキーに応じて、スキャン条件設定画面（図６に示す）、或いはプリント条件設定画面（図示せず）がディスプレイ１２に表示され、ユーザから入力された各項目の設定あるいは設定変更が受け付けられた後（ステップＳ４２）、該ジョブ実行条件をＵＳＢメモリ３２０に登録するために、ユーザの要求に応じて新規登録要求フラグが設定され（ステップＳ４４）、ステップＳ３８に戻る。なお、新規登録要求フラグを設定するか否か、換言すれば新たなジョブ実行条件をＵＳＢメモリ３２０に登録するか否かのユーザによる設定は、設定画面を介して行われる。
【０１０５】
ステップＳ３８で、スタートキーが押下された場合（ステップＳ３８でＹＥＳ）、ＵＳＢメモリ３２０から読み込まれたジョブ実行条件、又は操作パネルから設定されたジョブ実行条件を実行するための動作モードが受け付けられ（ステップＳ４６）、各部に対して動作開始指示がなされた後（ステップＳ４８）、ＵＳＢメモリ３２０内の画像データを印刷するプリントジョブ、或いは画像データをＵＳＢメモリ３２０に書き込むスキャンジョブが実行される（ステップＳ５０）。
【０１０６】
次いで、ＵＳＢメモリ３２０の装着の検出が行われる（ステップＳ５１）。
【０１０７】
装着されていない場合（ステップＳ５１でＮＯ）、新たに設定されたジョブ実行条件の登録はできないから、新規登録要求フラグの設定を解除し、リターンする。
【０１０８】
一方、装着されている場合（ステップＳ５１でＹＥＳ）、ジョブ実行条件の新規登録要求があるか否かの判定が行われる（ステップＳ５２）。
【０１０９】
要求がない場合（ステップＳ５２でＮＯ）、リターンする。
【０１１０】
一方、要求がある場合（ステップＳ５２でＹＥＳ）、現在設定されているジョブ実行条件はＵＳＢメモリ３２０に既に記憶されているすべてのジョブ実行条件と異なるか否かの判定が行われ（ステップＳ５４）、いずれかと同じである場合（ステップＳ５４でＮＯ）、新たに登録する必要はないので、リターンしてステップ１０に戻る。
【０１１１】
一方、全てと異なる場合（ステップＳ５４でＹＥＳ）、ジョブ実行条件の名称を受け付けた後（ステップＳ５５）、ユーザから優先設定の変更が指示されたか否かの判定が行われ（ステップＳ５６）、指示されていない場合（ステップＳ５６でＮＯ）、現在優先設定されているジョブ実行条件が優先設定され（ステップＳ６４）、ステップＳ６６に進む。
【０１１２】
一方、優先設定の変更指示がなされた場合（ステップＳ５６でＹＥＳ）、ユーザから優先設定するジョブ実行条件の選択を受け付けるために、図１１に示す優先設定選択画面がディスプレイ１２に表示される（ステップＳ５８）。
【０１１３】
なお、優先設定選択画面には、優先設定が可能である旨のメッセージと共に、設定画面領域２０７に、優先設定を行うジョブ実行条件の一覧が表示される。優先設定選択画面からは、ＵＳＢメモリ３２０に記憶されているすべてのジョブ実行条件の中から、設定する実行条件の選択が可能である。
【０１１４】
ユーザは、表示されたジョブ実行条件から、優先設定するジョブ実行条件の選択を行い、「ＯＫ」ボタンを押下すると、この選択が受け付けられたのち（ステップＳ６２）、ステップＳ６６に進む。
【０１１５】
ステップＳ６６では、新たなジョブ実行条件と優先設定に関する情報がＵＳＢメモリ３２０に登録される。
【０１１６】
このように、この実施形態によれば、画像形成装置１にユーザによって設定され、実行されたジョブ実行条件は、ＵＳＢメモリ３２０に記憶される。そして、再度、前記ＵＳＢメモリ３２０が装着された際には、前記ジョブ実行条件でジョブを実行するための動作モードの設定が可能となる。これにより、外部記憶装置にジョブ実行条件が一旦記憶された後は、外部記憶装置を画像形成装置に装着することで、今回と同じジョブ実行条件で動作モードを設定可能となるから、ユーザは、操作パネル等からジョブを実行するための動作モードを設定する煩わしさから解放される。
【０１１７】
また、ジョブ実行条件は外部記憶装置に記憶されるので、これらのジョブ実行条件を用いて、ユーザは自由に所望する実行条件での動作モードを画像形成装置に設定することができる。
【０１１８】
また、ジョブ実行条件に優先設定がなされている場合には、その優先設定されたジョブ実行条件による動作モードが自動的に設定されるから、ユーザは、ＵＳＢメモリ３２０を装着した際に所望のジョブ実行条件を選択する手間から解放される。
【０１１９】
また、ジョブの終了後に、優先設定させるジョブ実行条件の変更ができるので、例えば、次回に実行するジョブ実行条件が、今回のジョブ実行条件と異なっている場合であっても、ジョブの終了後に次回に実施するジョブのジョブ実行条件を優先設定しておくことで、次回のジョブの実行時にユーザが所期する動作モードを自動的に設定することができる。
【０１２０】
また、１つのＵＳＢメモリ３２０に複数のジョブ実行条件を保存することができるので、１つのＵＳＢメモリ３２０で画像形成装置に対する複数の動作モードの設定が可能となる。
【図面の簡単な説明】
【０１２１】
【図１】画像形成装置の構成を示す図である。
【図２】画像形成装置の電気的構成を示す図である。
【図３】ジョブ実行条件ファイルリストの一例を示した図である。
【図４】初期画面の一例を示した図である。
【図５】スキャンモード設定画面の一例を示した図である。
【図６】スキャン条件設定画面の一例を示した図である。
【図７】プリントモード設定画面の一例を示した図である。
【図８】画像形成装置の動作を説明するためのフローチャートである。
【図９】図８に示したフローチャートの続きである。
【図１０】図８に示したフローチャートの続きである。
【図１１】優先実行条件選択画面の一例を示した図である。
【符号の説明】
【０１２２】
１・・・画像形成装置
１０・・・操作パネル
１１・・・操作部
１２・・・ディスプレイ
１３・・・スキャナ部
２０・・・ＵＳＢ差し込み口
３１１・・・制御装置
３１１a・・・検出部
３１１b・・・判断部
３１１c・・・表示制御部
３１１g・・・データ読み込み部
３１１h・・・データ書込み部
３１２・・・記憶部
３１３・・・画像メモリ
３２０・・・ＵＳＢメモリ
【図１】
2009087272.tif 000003
【図２】
2009087272.tif 000004
【図３】
2009087272.tif 000005
【図４】
2009087272.tif 000006
【図５】
2009087272.tif 000007
【図６】
2009087272.tif 000008
【図７】
2009087272.tif 000009
【図８】
2009087272.tif 000010
【図９】
2009087272.tif 000011
【図１０】
2009087272.tif 000012
【図１１】
2009087272.tif 000013